(57)【要約】      （修正有）【課題】配光パターンの所定の位置での色度の計測が可能であるとともに、配光パターンおよび色度が迅速に計測可能な標識灯の配光測定装置を提供する。【解決手段】配光測定装置１は、標識灯９の照度を検出する光検出部２と、標識灯９の所定の配光パターンの中心を通る水平軸上に着脱可能に配置され、標識灯９の色度を検出する色度検出部３と、標識灯９を搭載した架台１０を回動させる架台制御部４と、標識灯９を所定の配光パターンで点灯し、光検出部２からの光受信信号を得るとともに、色度検出部３からの色度受信信号を得る配光測定制御部５と、光検出部２からの光受信信号および架台１０の回動角に基づいて標識灯９の面状の配光パターンを得るとともに、色度検出部３からの色度受信信号に基づいて標識灯１０の色度を得るデータ処理部６と、を具備している。【選択図】図１
2015031514.tif 000002
【特許請求の範囲】
【請求項１】
直線状に配置された光センサで架台に搭載された標識灯からの光を受光して光強度を検出する光検出部と；
前記標識灯の所定の配光パターンの中心を通る水平軸上に着脱可能に配置され、前記標識灯からの光を受光して色度を検出する色度検出部と；
前記標識灯の所定の配光パターンに従って前記標識灯を搭載した架台を回動させる架台制御部と；
前記標識灯を所定の配光パターンで点灯し、前記架台が所定の回動角だけ回動する度に前記回動角の開始時点から終了時点までに亘って前記光検出部からの光受信信号を得るとともに、前記色度検出部からの色度受信信号を得る配光測定制御部と；
この配光測定制御部で得られた前記光検出部からの光受信信号および前記架台の回動角に基づいて前記標識灯の面状の配光パターンを得るとともに、前記色度検出部からの色度受信信号に基づいて前記標識灯の色度を得るデータ処理部と；
を具備していることを特徴とする配光測定装置。
【請求項２】
直線状に配置された光センサで架台に搭載された標識灯からの光を受光して光強度を検出するとともに、直線状に配置された中間の前記光センサが前記標識灯からの光の色度を検出する機能を有している光検出部と；
前記標識灯の所定の配光パターンに従って前記標識灯を搭載した架台を回動させる架台制御部と；
前記標識灯を所定の配光パターンで点灯し、前記架台が所定の回動角だけ回動する度に前記回動角の開始時点から終了時点までに亘って前記光検出部からの光受信信号および色度受信信号を得る配光測定制御部と；
この配光測定制御部で得られた前記光検出部からの光受信信号および前記架台の回動角に基づいて前記標識灯の面状の配光パターンを得るとともに、色度受信信号に基づいて前記標識灯の色度を得るデータ処理部と；
を具備していることを特徴とする配光測定装置。
【請求項３】
前記光検出部は、光受信信号をデジタル信号で出力することを特徴とする請求項１または２記載の配光測定装置。
【発明の詳細な説明】
【技術分野】
【０００１】
本発明は、標識灯の検査のための配光測定データを測定しデータ処理する配光測定装置に関する。
【背景技術】
【０００２】
例えば、空港においては、航空機の離着陸のため滑走路や誘導路等において各種の航空標識灯が設置されている。当該航空標識灯は、種別に応じて、それぞれ異なる光学特性に関する基準が指定されている。その基準の一つに航空標識灯から投射される光の明るさの分布すなわち配光特性がある。航空標識灯が各種別に応じて所定の配光特性を維持しているか否かを確認するために、航空標識灯を滑走路や誘導路から取り外して、他の場所で配光特性を測定するようにしている。
【０００３】
当該配光測定装置は、取り外した航空標識灯を架台に搭載し、航空標識灯の光源部からの光を光検出部で受光し、この光検出部で受光した光受信信号に基づいて配光パターンを得るようにしている。光検出部は、直線状に配置された複数個の光センサである照度計と、中央部に配置された１個の光センサである色度計とにより構成されている。照度計は、航空標識灯の光源部の照射角度毎の照度を検出し、色度計は、航空標識灯の光源部の色度を検出する。そして、これらのセンサは、スクリーン上に配置されているとともに、色度計は、直線状に配置された照度計の真中の照度計の近くに配置されている（例えば特許文献１参照。）。
【先行技術文献】
【特許文献】
【０００４】
【特許文献１】特許第５００２９８３号公報（第２頁、第１４図）
【発明の概要】
【発明が解決しようとする課題】
【０００５】
航空標識灯からの光の照度は、航空標識灯から例えば規定である５ｍ離れたスクリーン上で計測され、航空標識灯を搭載した架台を所定の回動角例えば１度毎に回動させて計測している。そして、色度は、配光パターンの中心で計測する必要がある。しかし、直線状に配置された照度計の中に色度計を配置するには、照度計および色度計のそれぞれの受光器の大きさのために、色度計を所望の位置に配置することができないという問題がある。このため、配光パターンの中心の色度が正しく得られないおそれがある。
【０００６】
本実施形態は、配光パターンの所定の位置での色度の計測が可能であるとともに、配光パターンおよび色度が迅速に計測可能な標識灯の配光測定装置を提供することを目的とする。
【課題を解決するための手段】
【０００７】
本実施形態の配光測定装置は、光検出部、色度検出部、架台制御部、配光測定制御部およびデータ処理部を有して構成されている。
【０００８】
光検出部は、直線状に配置された光センサを有してなり、当該光センサで架台に搭載された標識灯からの光を受光して光強度を検出するものである。色度検出部は、標識灯からの光を受光して色度を検出するものであり、標識灯の所定の配光パターンの中心を通る水平軸上に着脱可能に配置される。
【０００９】
架台制御部は、標識灯の所定の配光パターンに従って標識灯を搭載した架台を回動させるものである。配光測定制御部は、標識灯を所定の配光パターンで点灯する。そして、配光測定制御部は、架台が所定の回動角だけ回動する度に回動角の開始時点から終了時点までに亘って光検出部からの光受信信号を得るとともに、色度検出部からの色度受信信号を得るものである。
【００１０】
データ処理部は、配光測定制御部で得られた光検出部からの光受信信号および架台の回動角に基づいて標識灯の面状の配光パターンを得るとともに、色度検出部からの色度受信信号に基づいて標識灯の色度を得るものである。
【００１１】
本実施形態の配光測定装置によれば、色度検出部は、標識灯の所定の配光パターンの中心を通る水平軸上に着脱可能に配置されるので、架台が所定の回動角で順次回動するときに、配光パターンの中心に位置するものであり、このときに配光パターンの中心位置での色度を検出可能である。
【図面の簡単な説明】
【００１２】
【図１】本発明の第１の実施形態を示す配光測定装置の概略構成図である。
【図２】同上、光検出部および色度検出部のスクリーン上での配置を示し、（ａ）は概略正面図、（ｂ）は概略側面図である。
【図３】同上、標識灯の所定の配光パターンの平面図である。
【図４】本発明の第２の実施形態を示す配光測定装置の光検出部の配置図である。
【発明を実施するための形態】
【００１３】
以下、本発明の一実施の形態について、図面を参照して説明する。まず、第１の実施形態について説明する。
【００１４】
本実施形態の配光測定装置１は、図１および図２に示すように、光検出部２、色度検出部３、架台制御部４、配光測定制御部５およびデータ処理部６を有して構成される。
【００１５】
光検出部２は、図２に示すように、スクリーン７上に直線状に配置された複数個の光センサとしての照度計８を有してなる。複数個の照度計８は、本実施形態では、１６個がスクリーン７の中心７ｃを通る垂直軸（図示しない。）に沿って等間隔に配置されている。スクリーン７は、例えば鉄板からなり、一面７ａが例えば半径５ｍの球面（Ｒ面）に形成されている。すなわち、図２（ｂ）に示すように、スクリーン７の一面７ａと標識灯９との照射距離Ｌ１が５ｍとなるように形成されている。標識灯９は、例えば航空標識灯であり、架台１０に搭載されている。架台１０は、標識灯９を周方向に回動可能に搭載している。
【００１６】
複数個の照度計８は、標識灯９から出射された光を受光して、スクリーン７の一面７ａでの光強度としての照度を検出する。そして、複数個の照度計８は、ディジーチェンにより接続されて、それぞれ検出した照度を光受信信号として配光測定制御部５に出力する。ここで、複数個の照度計８は、当該光受信信号をデジタル信号で出力するように形成されている。
【００１７】
色度検出部３は、図２（ａ）に示すように、１個の色度計１１からなっている。色度計１１は、スクリーン７の中心７ｃを通り、スクリーン７の一面７ａに沿う水平軸１２上であってスクリーン７上に光検出部２から離れて配置されている。色度計１１は、例えばマグネットが設けられており、スクリーン７上に着脱可能に配置されている。そして、色度計１１は、標識灯９からの光を受光して、当該光の色度を検出する。色度計１１は、配光測定制御部５に接続されており、検出した色度を色度受信信号として配光測定制御部５に出力するように形成されている。
【００１８】
そして、本実施形態では、標識灯９の光軸１３がスクリーン７の中心７ｃとなるように、すなわち、標識灯９の所定の配光パターンの中心がスクリーン７の中心７ｃとなるように、標識灯９が架台１０に搭載されている。しかし、標識灯９は、その所定の配光パターンの中心がスクリーン７の中心７ｃとならないように設けられていてもよい。ここで、色度計１１は、標識灯９の所定の配光パターンの中心を通る水平軸上であってスクリーン７の一面７ａに配置される。
【００１９】
また、本実施形態では、標識灯９は、周方向に所定の回動角例えば１°の回動角ずつ回動される。色度計１１は、標識灯９が１°の回転角ずつ回動されたときに、標識灯９の光軸１３とスクリーン７の一面７ａとが交差する位置に配置されている。当該交差位置には、記号１４が標識灯９の種別による配光パターンに応じて記載されている。
【００２０】
図１において、標識灯９に交流定電流電源を供給する給電コネクタ１５は、電力供給用の２本のコネクタ端子１６を有し、測定用コネクタ１７に接続されている。これにより、標識灯９の不図示の光源部には、測定用交流直流電源１８から点灯用の電源が供給される。標識灯９は、測定用交流直流電源１８からの電力で点灯する。
【００２１】
架台制御部４は、標識灯９の所定の配光パターンに従って標識灯９を搭載した架台１０を所定の回動角で連続的に回動させる。すなわち、架台制御部４は、架台１０の不図示の電動機を駆動して架台１０を回動させる。これにより、架台１０に搭載された標識灯９が連続的に回動される。電動機としては、例えばステッピングモータを用いることができる。すなわち、架台制御部４は、例えば、標識灯９の左右前方の拡がり角度が１００°である配光パターンである場合には、左右前方の拡がり角度が１００°の照度データが検出できるように、架台１０を回動させる。このとき、架台制御部４は、架台１０が所定の回動角例えば１°ずつ回動するように制御するものである。標識灯９は、架台１０の回動に伴って、所定の回動角例えば１°で連続して回動する。
【００２２】
配光測定制御部５は、標識灯９を所定の配光パターンで点灯するとともに、架台１０が所定の回動角だけ回動する度に、光検出部２からの光受信信号を受信する。また、配光測定制御部５は、前記回動角の開始時点から終了時点までに亘って光受信信号を受信する。光受信信号は、デジタル信号であるので、配光測定制御部５においてＡ／Ｄ変換を要しない。すなわち、配光測定制御部５は、架台１０が、順次、測定間隔に相当する回転角だけ架台１０が回動すると、光受信信号をデジタル信号で得ている。
【００２３】
また、配光測定制御部５は、色度検出部３からの色度受信信号を受信する。なお、色度受信信号がアナログ信号である場合には、Ａ／Ｄ変換して色度受信信号を得ている。
【００２４】
データ処理部６は、配光測定制御部５で得られた光検出部２からの光受信信号および架台１０の回動角に基づいて標識灯９の面状の配光パターンを得るものであり、スクリーン７上に直線状に配置された照度計８によって検出された各々の回動角での照度データを組み合わせて面状の配光パターンを作成するように形成されている。また、データ処理部６は、色度検出部３（色度計１１）からの色度受信信号に基づいて、標識灯９からの光の色度を演算して得るように形成されている。
【００２５】
次に、本発明の第１の実施形態の作用について述べる。
【００２６】
架台制御部４は、標識灯９の種別に応じた配光パターンが得られるように、標識灯９を搭載した架台１０を連続的に順次１°回動させる。また、架台制御部４は、標識灯９の所定の配光パターンを表す照度データが取得できる範囲内で架台１０を連続的に回動させる。例えば、図３に示すように、標識灯９の所定の配光パターン１８の左右方向の範囲は、回動位置Ｐ１〜回動位置Ｐ２１であり、この範囲の照度データが得られるように標識灯９を搭載した架台１０を連続的に回動させる。そして、配光測定制御部５は、標識灯９の所定の配光パターン１８の左右方向範囲の回動位置Ｐ１〜回動位置Ｐ２１の範囲で照度データが得られるように、直線状に配置した照度計８に対してデータ処理を行う。これにより、検査した配光パターンが得られる。
【００２７】
そして、色度計１１は、標識灯９が１°の回転角ずつ回動されたときに、標識灯９の光軸１３とスクリーン７の一面７ａとが交差する位置に配置されているので、架台１０が回動されているときに、標識灯９の光軸１３が色度計１１の配置位置に一致することがある。このとき、色度計１１は、標識灯９の所定の配光パターン１８の中心に位置していることになる。
【００２８】
色度計１１は、標識灯８からの光の色度を検出して色度受信信号を配光測定制御部５に出力する。配光測定制御部５は、色度受信信号をデジタル信号で得る。そして、データ処理部６は、当該色度受信信号に基づいて標識灯８の色度を演算して得る。これにより、標識灯９の所定の配光パターン１８の中心における色度が得られる。
【００２９】
そして、データ処理部６は、標識灯９の検査の配光パターンおよび色度をディスプレイに表示させ、または、印刷物に印刷させる。これにより、標識灯９の検査結果が入手される。上述したように、標識灯９の配光パターンを得る照度計測と、色度計測を同時に行えるとともに、所定の配光パターン１８の中心での色度の計測を行える。すなわち、配光測定装置１は、検査の配光パターンおよび色度を迅速に計測可能である。
【００３０】
そして、照度計８は、デジタル信号で光受信信号を出力するので、光検出部２と配光測定制御部５との配線数を少なくすることができる。また、光受信信号が雑音を少なくして配光測定制御部５に受信される。したがって、精度の向上した配光パターンが得られる。
【００３１】
本実施形態の配光測定装置１によれば、標識灯９を搭載した架台１０が所定の回動角で回動されるので、検査対象の標識灯９の配光パターンおよび色度の測定を迅速に行うことができるという効果を有する。また、色度検出部３は、検査対象の標識灯９の所定の配光パターン１８の中心を通る水平軸１２上であってスクリーン７に着脱可能に配置されるので、架台１０が回動するときに、所定の配光パターン１８の中心に位置して配光パターン１８の中心位置での色度を正しく検出することができるという効果を有する。
【００３２】
また、照度計８は、デジタル信号で光受信信号を出力するので、配光測定装置１は、光検出部２と配光測定制御部５との配線数を少なくできるとともに、精度の向上した配光パターンを得ることができるという効果を有する。
【００３３】
次に、本発明の第２の実施形態について説明する。
【００３４】
本実施形態の配光測定装置２１は、図４に示すように、図２に示す配光測定装置１において、光検出部２と色度検出部３とが光検出部２２に構成されたものである。なお、図４において、図２と同一部分には同一符号を付して説明は省略する。
【００３５】
光検出部２２は、直線状に配置された光センサとしての照度計８のうち、中間本実施形態では真中の照度計８Ａが標識灯９からの光を受光して光強度としての照度を検出するとともに、色度を検出する機能を有しているものである。そして、架台１０（標識灯９）が回動されたときに、照度計８Ａが標識灯９の所定の配光パターン１８の中心に位置することができるように、照度計８，８Ａがスクリーン７の一面７ａに直線状に配置されている。
【００３６】
照度計８Ａを除く照度計８は、ディジーチェンにより接続されて、それぞれ検出した照度を光受信信号として配光測定制御部５に出力する。また、照度計８Ａは、単独で配光測定制御部５に接続されて、検出した照度および色度をそれぞれ光受信信号および色度受信信号として配光測定制御部５に出力する。
【００３７】
配光測定装置２１は、検査対象の標識灯９の配光パターンおよび色度を同時に計測することができるとともに、色度を所定の配光パターン１８の中心で正しく計測できる。
【００３８】
なお、本発明の上述した実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００３９】
１，２１…配光測定装置、  ２，２２…光検出部、  ３…色度検出部、  ４…架台制御部、  ５…配光測定制御部、  ６…データ処理部、  ７…スクリーン、  ８…光センサとしての照度計、  ９…標識灯としての航空標識灯、  １０…架台
【図１】
2015031514.tif 000003
【図２】
2015031514.tif 000004
【図３】
2015031514.tif 000005
【図４】
2015031514.tif 000006